(57)【要約】【課題】ゴミや塵などの混入が防止され、ロール状感光材料を汚染することなく、１本単位で輸送可能なロール状感光体の包装用コンテナを提供すること。【解決手段】側板２０、２２に取っ手用開口２６が設けられたコンテナ本体１２と、ロール状感光材料の長手方向長さに合わせてコンテナ本体１２内部の長手方向長さを仕切る仕切板１４と、コンテナ本体１２における上面の開口及び側板２０〜２４を覆う側壁と、を含んで構成される箱状の蓋部材１６と、を備え、蓋部材１６の側壁３２、３３は、コンテナ本体１２における側板２０、２２の取っ手用開口２６に対向して開口部３６が形成され、且つ当該開口部３６を閉止すると共に外部から押圧力を付与されることにより蓋部材内側に入り込む閉止部材（閉止片３８）が設けられること、を特徴とするロール状感光材料の包装用コンテナである。また、コンテナ本体内部に、同様な構成の閉止部材を設けてもよい。【選択図】　図１
2004102221.tif 000002
【特許請求の範囲】
【請求項１】
ロール状感光材料を収納し、底板及び複数の側板とからなり、上面が開口していると共に、少なくとも対向する一対の側板の一部にコンテナを持ち運ぶための取っ手用開口が設けられた箱状のコンテナ本体と、
前記ロール状感光材料の長手方向長さに合わせて前記コンテナ本体内部の長手方向長さを仕切る仕切板と、
を備えるロール状感光材料の包装用コンテナであって、
前記コンテナ本体における上面の開口を覆う上壁と、前記側板を覆う側壁と、を含んで構成される箱状の蓋部材を備え、
前記蓋部材の側壁は、前記コンテナ本体における前記側板の前記取っ手用開口に対向して開口部が形成され、且つ当該開口部を閉止すると共に外部から押圧力を付与されることにより蓋部材内側に入り込む閉止部材が設けられること、
を特徴とするロール状感光材料の包装用コンテナ。
【請求項２】
前記蓋部材の側壁には、前記閉止部材として、少なくとも一部が当該側壁と連続して形成された閉止片を有し、
当該閉止片は、外部から押圧力を付与されることにより前記開口部を開口すると共に、前記押圧力の解除により復元して前記開口部を閉止する、ことを特徴とする請求項１に記載のロール状感光材料の包装用コンテナ。
【請求項３】
前記蓋部材の側壁には、前記閉止部材として、少なくとも一部が当該側壁と連続して形成された閉止片を有し、
前記閉止片と前記側壁とが連続して形成される連結部には、前記蓋部材の内側からハーフカットが施されていることを特徴とする請求項１に記載のロール状感光材料の包装用コンテナ。
【請求項４】
前記蓋部材の側壁には、前記閉止部材として、袋状の閉止部材を備えることを特徴とする請求項１に記載のロール状感光材料の包装用コンテナ。
【請求項５】
ロール状感光材料を収納し、底板及び複数の側板とからなり、上面が開口していると共に、少なくとも対向する一対の側板の一部にコンテナを持ち運ぶための取っ手用開口が設けられた箱状のコンテナ本体と、
前記ロール状感光材料の長手方向長さに合わせて前記コンテナ本体内部の長手方向長さを仕切る仕切板と、
を備えるロール状感光材料の包装用コンテナであって、
前記コンテナ本体における上面の開口を覆う箱状の蓋部材を備え、
前記コンテナ本体内には、前記取っ手用開口を閉止すると共に外部から押圧力を付与されることにより前記コンテナ本体内に入り込む閉止部材が設けられること、
を特徴とするロール状感光材料の包装用コンテナ。
【発明の詳細な説明】
【０００１】
【発明の属する技術分野】
本発明は、１本単位でも輸送可能な、ロール状感光材料を収納するロール状感光材料の包装用コンテナに関する。
【０００２】
【従来の技術】
従来、ロール状感光材料は、工場で製造された後、包装されてユーザに届けられてる。このような包装形態として、特開平１１−３３８１０６号にはロール状感光材料の身／蓋接合ダンボール箱で、箱収納部とその上面開口の一辺に一体的に接続されており、その接続部の外側若しくは内側のうちの一方の面のライナーと中しんとが接続部両側の端部を残して切断されている構造が開示されている。
【０００３】
また、特開２０００−１８５７２６には一枚のダンボールから形成された容器で、箱収納部左右両側の側面部から延長され、後面部の長さの１０％以上の補強片がその後面部の内側面に沿って重ね合わされている構造が開示されている。
【０００４】
また、特開２００１−３０１７４４には上記ダンボールであって、その補強片に縦方向に形成された少なくとも一個のスリットを備え、そのスリットに仕切り板を入れることで幅方向のサイズ違いのロール状感光材料も同じダンボールに入れることができる構造が開示されている。
【０００５】
また、特開２００２−２３４５８４には廃棄包装材料を減少した包装体の輸送形態とこれらの輸送形態で、同じ品種、同じサイズ、同じロットを大量に、積載運搬するリユースコンテナーが開示されている。
【０００６】
【特許文献１】
特開平１１−３３８１０６号
【特許文献２】
特開２０００−１８５７２６
【特許文献３】
特開２００１−３０１７４４
【特許文献４】
特開２００２−２３４５８４
【０００７】
【発明が解決しようとする課題】
ところで、従来、ロール状感光材料は、工場で製造された後、代理店を経て、ユーザーに届けられるといった流通経路をとっているのが一般的である。この際、工場では製造されたロール状感光材料を、例えば、特開２０００−３２６９７９で開示されように仕切板を介して直接積み重ねた包装形態で代理店まで輸送する。
【０００８】
そして、代理店ではロール状感光材料を、例えば、特願２０００−１１７９３８に開示されている感光材料ロール収納容器のような包装用コンテナに詰み替えて、包装用コンテナに収納された包装形態で、これを間切りされた棚に滑車のついた専用台車に納めてこの台車ごとにユーザーへと輸送されている。
【０００９】
しかしながら、上述のような流通経路においては、工場と代理店とでは異なる包装形態で輸送されおり、流通における低コスト化や作業効率化が求められている昨今、ロール状感光材料の包装作業の低減、また、総部材点数の低減が図られるようになってきている。
【００１０】
このような問題を改善する目的で、特願２００２−６７１１４には、２段以上に積み重ねが可能なように集積機能を付与したロール状感光材料の集合包装用コンテナーが提案されている。この集合包装用コンテナーは、段落番号００３２〜００３６に流通方法が提案されているように、ロール状感光材料を大量に使用するユーザーに便利なように、設計したものである。
【００１１】
一方、昨今、ロール状感光材料を、１本単位で取引したいというユーザーも増えてきており、この要求に対応するロール状感光材料の包装用コンテナの開発が求められている。
【００１２】
１本単位で包装用コンテナを輸送するにあたっては、一番の問題点は、ゴミや塵がコンテナ内に混入すると、ロール状感光材料が汚染され、感光材料としての諸特性が劣化しれしまう虞があり、この問題を解消することが重要であると考えられる。
【００１３】
従って、本発明は、前記従来における諸問題を解決し、以下の目的を達成することを課題とする。即ち、本発明の目的は、ゴミや塵などの混入が防止され、ロール状感光材料を汚染することなく、１本単位で輸送可能なロール状感光材料の包装用コンテナを提供することである。
【００１４】
【課題を解決するための手段】
上記課題は、以下の手段により解決される。即ち、
（１）ロール状感光材料を収納し、底板及び複数の側板とからなり、上面が開口していると共に、少なくとも対向する側板の一部にコンテナを持ち運ぶための取っ手用開口が設けられた箱状のコンテナ本体と、
前記ロール状感光材料の長手方向長さに合わせて前記コンテナ本体内部の長手方向長さを仕切る仕切板と、
を備えるロール状感光材料の包装用コンテナであって、
前記コンテナ本体における上面の開口を覆う上壁と、前記側板を覆う側壁と、を含んで構成される箱状の蓋部材を備え、
前記蓋部材の側壁は、前記コンテナ本体における前記側板の前記取っ手用開口に対向して開口部が形成され、且つ当該開口部を閉止すると共に外部から押圧力を付与されることにより蓋部材内側に入り込む閉止部材が設けられること、
を特徴とするロール状感光材料の包装用コンテナ。
【００１５】
（２）　前記蓋部材の側壁には、前記閉止部材として、少なくとも一部が当該側壁と連続して形成された閉止片を有し、
当該閉止片は、外部から押圧力を付与されることにより前記開口部を開口すると共に、前記押圧力の解除により復元して前記開口部を閉止する、ことを特徴とする前記（１）に記載のロール状感光材料の包装用コンテナ。
【００１６】
（３）　前記蓋部材の側壁には、前記閉止部材として、少なくとも一部が当該側壁と連続して形成された閉止片を有し、
前記閉止片と前記側壁とが連続して形成される連結部には、前記蓋部材の内側からハーフカットが施されていることを特徴とする前記（１）に記載のロール状感光材料の包装用コンテナ。
【００１７】
（４）　前記蓋部材の側壁には、前記閉止部材として、袋状の閉止部材を備えることを特徴とする前記（１）に記載のロール状感光材料の包装用コンテナ。
【００１８】
（５）ロール状感光材料を収納し、底板及び複数の側板とからなり、上面が開口していると共に、少なくとも対向する一対の側板の一部にコンテナを持ち運ぶための取っ手用開口が設けられた箱状のコンテナ本体と、
前記ロール状感光材料の長手方向長さに合わせて前記コンテナ本体内部の長手方向長さを仕切る仕切板と、
を備えるロール状感光材料の包装用コンテナであって、
前記コンテナ本体における上面の開口を覆う箱状の蓋部材を備え、
前記コンテナ本体内には、前記取っ手用開口を閉止すると共に外部から押圧力を付与されることにより前記コンテナ本体内に入り込む閉止部材が設けられること、
を特徴とするロール状感光材料の包装用コンテナ。
【００１９】
上記（１）〜（４）に記載の本発明の包装用コンテナによれば、コンテナ本体における上面の開口を覆う上壁と、側板を覆う側壁と、を含んで構成される箱状の蓋部材を備えることで、コンテナ本体における開口部（上面の開口、取っ手用開口）をほぼ密閉状態に保ちつつ、持ち運びの際には、例えば指先などにより蓋部材における開口部を閉止する閉止部材を外部から押圧することで、閉止部材が蓋部材内側に入り込み、取っ手部が形成される。このため、コンテナ輸送時にゴミや塵などが混入し難く、ロール感光材料の汚染を極力抑えつつ、１本単位で輸送可能となる。
【００２０】
上記（５）に記載の本発明の包装用コンテナによれば、コンテナ本体における上面の開口を覆う蓋部材を備えると共に、コンテナ本体における取っ手用開口を閉止すると共に外部から押圧力を付与されることにより、コンテナ本体内に入り込む閉止部材が設けられることで、コンテナ本体における開口部（上面の開口、取っ手用開口）をほぼ密閉状態に保ちつつ、持ち運びの際には、例えば指先などによりコンテナ本体内部の閉止部材を外部から押圧することで、閉止部材がコンテナ本体内側に入り込み、取っ手用開口縁部に例えば指などを引っ掛けることができるようになる。このため、コンテナ輸送時にゴミや塵などが混入し難く、ロール感光材料の汚染を極力抑えつつ、１本単位で輸送可能となる。
【００２１】
【発明の実施の形態】
以下、本発明の実施の形態の一例を図面を参照して説明する。なお、実質的に同様の機能を有するものには、全図面通して同じ符号を付して説明し、場合によってはその説明を省略することがある。
【００２２】
（第１の実施の形態）
図１は、本発明の第１の実施の形態に係るロール状感光材料の包装用コンテナの分解斜視図である。図２は、本発明の第１の実施の形態に係るロール状感光材料の包装用コンテナにおける蓋部材の部分斜視図である。図３は、本発明の第１の実施の形態に係るロール状感光材料の包装用コンテナの長手方向に沿った部分断面図である。図４は、本発明の第１の実施の形態に係るロール状感光材料の包装用コンテナの幅方向に沿った部分断面図である。図５は、本発明の第１の実施の形態に係るロール状感光材料の包装用コンテナにおけるコンテナ本体の上面図である。
【００２３】
図１に示す包装用コンテナ１０は、上面が開口している箱状のコンテナ本体１２と、ロール状感光材料の長手方向長さに合わせてコンテナ本体１２内部の長手方向長さを仕切る仕切板１４と、コンテナ本体１２をほぼ密閉状態とする蓋部材１６と、コンテナ本体１２内の底板２４に敷かれる緩衝シート１８と、から構成されている。
【００２４】
コンテナ本体１２は、底板２４と４つの側板２０、２１、２２、２３とから構成されている。４つの側板２０、２１、２２、２３におけるコンテナ本体１２の上面開口周縁部には、コンテナ本体１２の強度を確保するため肉厚に形成されてた凸部２０ａ、２１ａ、２２ａ、２３ａがそれぞれ設けられている。また、コンテナ本体１２の長手方向に対向する一対の側板２０、２１には、コンテナを持ち運ぶための取っ手用開口２６が設けられている。
【００２５】
一方、幅方向に対向する側板２２、２３の内壁には、それぞれ、仕切板１４が挿入されるスリット２８を形成する一対のガイド板３０が、複数組設けられている。スリット２８を形成する一対のガイド板３０は、側板２０、２１の長手方向両端部周辺に対称に設けられている。スリット２８の配設位置は、ロール状感光材料の長手方向長さに応じて適宜設定されるが、ロール状感光材料の装填性、取り出し性の観点から、ロール状感光材料収納時、ロール状感光材料の長手方向両端部と仕切板１４とが、４ｍｍ程度空くようにすることがよい。
【００２６】
仕切板１４は、スリット２８幅に相当する厚みと、コンテナ本体１２の幅方向に対向する側板２２、２４間の幅を有し、仕切板１４をスリット２８に挿入したとき、仕切板１４両縁部の一部がスリット２８に係合される。上述のように、スリット２８は、側板２０、２１の長手方向両端部周辺に対称に設けられているので、仕切板１４は配置位置により、ロール状感光材料を収納たときのコンテナ本体１２の重心位置を常に中央に位置させ、運搬時の安定性を向上させる。
【００２７】
また、仕切板１４上端部の中央には、上端部中央から下端部に向かって高さ方向の中央部まで切欠部１４ａが設けられている。この切欠部１４ａに例えば指等を指しこむことで、ロール状感光材料の軸芯材を両端から把持ことが可能となり、ロール状感光材料の収納・取出しが容易となる。
【００２８】
蓋部材１６は、コンテナ本体１２における上面の開口を覆う上壁３１と、側板２０、２１、２２、２３をそれぞれ覆う側壁３２、３３、３４、３５と、を含んで構成される箱状部材である。コンテナ本体１２における取っ手用開口２６が設けられた側板２０、２１を覆う側壁３２、３３には、側板２０、２１の取っ手用開口２６に対向して開口部３６が形成されると共に、開口部３６を閉止する略四角状の閉止片３８（閉止部材）を有する。
【００２９】
蓋部材１６の側壁３２、３３に設けられた閉止片３８は、図２に示すように、側壁３２、３３に３辺の切り目（図中、点線）を入れて形成され、残った１辺が側壁３２、３３との連結部（図中、２点鎖線）となり、この連結部で折れ曲ることで開口部３６が開口される。
【００３０】
蓋部材１６の側壁３２、３３に設けられる閉止片３８の連結部には、図３に示すように、蓋部材１６内側から厚み方向にハーフカット４０が施されている。この閉止片３８の連結部のハーフカット４０は、蓋部材１６をプラスチックシートで構成する場合、厚み全体の１／２以上の深さで施すことがよく、プラスチック段ボールで構成する場合、プラスチックシートライナーを残す程度の深さで施されることがよい。なお、閉止片３８の連結部には、ハーフカットに限らず、罫線を施してもよい。
【００３１】
蓋部材１６の側壁３２、３３に設けられる閉止片３８は、蓋部材１６内側からハーフカット４０が施してヒンジ状の連結部とし、側壁３２、３３の外側に厚みを残することで、閉止片３８の連結部の外側（側壁３２、３３の外側）が脆弱部となり、閉止片３８に押圧を付与したとき、この脆弱部に応力が集中し、容易に、指などにより外部から押圧力を付与されると閉止片３８は蓋部材１６内側へ入り込みで開口部３６を開口する。一方、閉止片３８は蓋部材１６内側へ入り込むと、閉止片３８の連結部の外側が引っ張られることになり、容易に、この押圧力を解除されると蓋部材１６構成材料の弾性変形により復元して開口部３６を閉止する。
【００３２】
蓋部材１６は、図４に示すように、コンテナ本体１２の上面から被せられる。コンテナ本体１２に被せられた蓋部材１６は、通常、コンテナ本体１２に固定される。蓋部材１６とコンテナ本体１２との固定は、一般に知られている固定方法でよい。例えば、テープで固定する、バンドで固定する、シュリンクスリーブで固定する等のいずれの方法も利用することができる。
【００３３】
蓋部材１６は、何回でも使用可能なように、強度が強く耐久性ある、また緩衝性のあるプラスチック製で構成させることが好適である。例えば、蓋部材１６は、射出成形、真空成形、又はプラスチックシートを折り曲げる等によって作製することができる。
【００３４】
蓋部材１６を、プラスチックシートから作製する場合、例えば、まず、プラスチックシートを打ち抜き、折り曲げ部を折り曲げやすくするために、一般的に罫線、ハーフカットを施して、折り曲げ加工する。このプラスチックシート材料としては、例えば、ポリエチレン（ＰＥ）、ポリプロピレン（ＰＰ）、ポリスチレン（ＰＳ）、ＡＢＳ、等のシート材料であれば何でもよいが、折り曲げ加工、衝撃特性、耐久性、ヒンジ特性等から箱の要求特性を満たすものとしてはＰＰが好ましい。市場から得られるシート材料としては積水化学工業（株）製、アキレス（株）製、シーダム（株）製のもの等がある。シート厚みとしては蓋部材大きさにもよるが、例えば０．５ｍｍから３．０ｍｍを適宜選択することができる。
【００３５】
また、プラスチックシート材料としては、蓋部材の衝撃性、耐久性を特に重視するなら、発泡ＰＰシートを選択することもできる。市場から得られる発泡ＰＰシートとしては三井化学プラテック（株）製、古河電工（株）製、（株）ＪＳＰ製等のものがある。発泡ＰＰシートとしては、発泡倍率も３倍から１５倍発泡程度まであり、蓋部材の強度、衝撃特性、耐久性、等から適宜選択することができる。発泡シート厚みとしては、蓋部材の大きさにもよるが、例えば１．０ｍｍから５．０ｍｍを適宜選択することができる。
【００３６】
また、プラスチックシート材料としては、プラスチックダンボールシートを選択することもできる。市場から得られるプラスチックダンボールシートとしては東洋ユニコン（株）製、宇部日東化成（株）製、住友化学（株）製等のものがある。シート厚みとしては１．０ｍｍ〜１２．０ｍｍがあり、その重量も２５０ｇ／ｍ２〜３５００ｇ／ｍ２のものがあり、蓋部材の強度、衝撃特性、耐久性、等から適宜選択することができる。シート厚みとしては、例えば３．０ｍｍ〜７．０ｍｍを適宜選択することができる。
【００３７】
蓋部材１６の外壁には、社名、製品の品名、ロット番号、注意事項等一般に製品に表示される項目を印刷あるいは印字したレーベルを貼ることもできる。特に、コンテナをリサイクルさせる場合、リユースコンテナーであることの表示、リユース回数を認識できる表示をすれば、使用するコンテナの管理にも使用することができる。
【００３８】
緩衝シート１８は、例えば、発泡緩衝材シート、プラスチックダンボールシートなどにより構成され、コンテナ本体１２内の底板２４に敷くことで、緩衝シート１８によりロール状感光材料のゆれが極力抑えられ、物流輸送適性を更に高めることができる。
【００３９】
緩衝シート１８には、図５に示すように、コンテナ本体１２のスリット２８へ挿入する仕切板１４の挿入位置を示す表示が、収納するロール状感光材料のサイズ毎に施されている。このサイズ表示をにより、容易に仕切板１４のスリット２８への挿入位置が確認でき作業性が向上したり、ユーザがロール状感光材料サイズを認識し易くなる。また、サイズ表示は、緩衝シート１８の表面（コンテナ本体１２の上面側）に施されていてもよいが、複数回使用時に磨れて消えてしまうのを防止する観点から、緩衝シート１８を透明な材料で構成し、裏面（コンテナ本体１２の底板側）に施すことが好適である。また、図５では、スリット２８の配置位置と同じ位置を示すように、サイズ表示が施されているが、スリット２８の配置位置に対してコンテナ本体１２長手方向に若干ずれた位置に、サイズ表示を施すと、仕切板１４をスリット２８に挿入時でも、サイズ表示が目視できるため、好適である。
【００４０】
また、緩衝シート１８に施されるサイズ表示と同様なものを、コンテナ本体１２の側板２２、２３内壁のスリット２８周辺に、収納するロール状感光材料のサイズ毎に施すことも好適に実施される。
【００４１】
ロール状感光材料は、図示しないが、通常、任意の包装形態により包装されてコンテナ本体１２に収納される。ユーザーがロール状感光材料を使用した後、包装用コンテナを、リユースコンテナとして戻す場合、この包装材料も廃材料として不要になるが、これも、リサイクル、リユースして使用するためにリユースコンテナにいれて戻してもらえばよい。
【００４２】
ここで、ロール状感光材料としては、例えば、特開平２００１−２４９４３１、特許公報３０４２８１２号、などに記載された形態の感光材料が好適に用いられ、また、その包装形態としては、例えば、特開平２０００−３１０８３４、特開平１１−３２７０８９号、特開平６−１７５２９１号などに記載の包装形態が好適に利用される。
【００４３】
本実施の形態では、コンテナ本体１２における上面の開口を覆う上壁３１と、側板を覆う側壁３２、３３、３４、３５と、を含んで構成される箱状の蓋部材１６を備えることで、コンテナ本体１２における開口部（上面の開口、取っ手用開口）をほぼ密閉状態に保ちつつ、持ち運びの際には、例えば指先などにより蓋部材１６における開口部３６を閉止する閉止片３８を外部から押圧することで、閉止片３８が蓋部材１６内側に入り込み、取っ手部が形成される。また、このため、コンテナ輸送時にゴミや塵などが混入し難く、ロール感光材料の汚染を極力抑えつつ、１本単位で輸送可能となる。
【００４４】
また、閉止片３８を外部から押し込み、閉止片３８が復元せず、蓋部材１６の開口部３６したままの状態としてもよいが、長期間にわたって開口したままだと、ゴミ、塵等がコンテナの中に入り込み、ロール状感光材料に付着し汚染する恐れがある。そこで、本実施の形態では、閉止片３８は、外部からの押圧力を解除されると蓋部材１６構成材料の弾性変形により復元して開口部３６を閉止するので、持ち運び時以外は開口部３６は開口しないので、コンテナ輸送時にゴミや塵などがコンテナ内部に混入し難くなり、ロール状感光材料を汚染を最大限抑えつつ輸送できる。
【００４５】
本実施の形態では、蓋部材１６の閉止部材として、閉止片３８を設けた形態を説明したが、図６に示すように閉止部材として、袋状の閉止部材４２（例えば大幸紙工（株）製「ダスノンカバー」など）を設けた構成でもよいし、図７に示すように、ゴム膜などの伸縮可能な閉止部材４４を設けた構成でもよい。これらの閉止部材は、常に蓋部材１６の開口部３６を閉止しつつ、指などによる押圧により、蓋部材１６内部に入り込み取っ手部を形成すると共に、コンテナ輸送時にゴミや塵などがコンテナ内部に混入しなくなる。
【００４６】
本実施の形態では、蓋部材１６の側壁３４、３５は、閉止部材が設けられた側壁３２、３３と共に、コンテナ本体１２側板を覆うように底板２４方向に延在している形態を説明したが、これに限定されず、本発明では、閉止部材が設けられた側壁３２、３３が取っ手用開口２６が設けれた側板２０、２１をそれぞれ覆っていればよく、蓋部材１６の側壁３４、３５はコンテナ本体１２側板を覆うように底板２４方向に延在する必要はなく、図８に示すように、コンテナ本体１２側板２２、２３上面開口周縁部のみを覆う構成であってもよい。
【００４７】
また、図９に示すように、蓋部材１６の側壁３４、３５がコンテナ本体１２側板２２、２３上面開口周縁部のみを覆う構成であって、当該側壁３４、３５の内壁側に凸部３４ａ、３５ａを設ける形態であってもよい。この形態では、蓋部材１６をコンテナ本体１２に被せた時、側壁３４、３５内壁における凸部３４ａ、３５ａと、側板２２、２３における凸部２２ａ、２３ａとの一部がそれぞれ干渉し合って係合される。また、この形態では、側壁３４、３５内壁における一方の凸部３４ａ、３５ａ下部の一角（底板２４側の一角）がテーパー状に形成され、蓋部材１６をコンテナ本体１２を被せるときは被せ易く、外れるときは外れにくいようになっている。このように、この形態では、蓋部材１６は、輸送時にはずれ難くなる一方、蓋部材周囲の側面を手で変形させることで、容易に外すことができる。なお、このような、観点からも、何回も使用する蓋部材１６構成材料としては弾性変形が容易なプラスチック製がよい。
【００４８】
本実施の形態では、蓋部材１６として、上壁３１と４つの側壁３２、３３、３４、３５とを含んで構成される形態を説明したが、図１０に示すように、筒箱状の蓋部材１６に、コンテナ本体１２を挿入して、側壁に相当する封止部材が設けらたフラップ４６や他のフラップ４８を折り込む形態も好適に実施される
【００４９】
（第２の実施の形態）
図１１は、本発明の第２の実施の形態に係るロール状感光材料の包装用コンテナの分解斜視図である。図１２は、本発明の第２の実施の形態に係るロール状感光材料の包装用コンテナの長手方向に沿った部分断面図である。図１３は、本発明の第２の実施の形態に係るロール状感光材料の包装用コンテナの作用を説明するための部分断面図である。
【００５０】
図１１に示す包装用コンテナ１０は、上面が開口している箱状のコンテナ本体１２と、ロール状感光材料の長手方向長さに合わせてコンテナ本体１２内部の長手方向長さを仕切る仕切板１４と、コンテナ本体１２の上面の開口を覆う蓋部材１６と、コンテナ本体１２内の底板２４に敷かれる緩衝シート１８と、から構成されている。
【００５１】
蓋部材１６は、コンテナ本体１２における上面の開口を覆う上壁３１と、側板２０、２１、２２、２３上縁部（コンテナ本体１２における上面の開口周縁部：側板２０、２１、２２、２３における凸部２０ａ、２１ａ、２２ａ、２３ａ）をそれぞれ覆う側壁３２、３３、３４、３５と、を含んで構成される箱状部材である。
【００５２】
緩衝シート１８は、図１２に示すように、コンテナ本体１２の底板２４幅と略同等で、底板２４長手方向長さよりも長い大きさで、両端を折り曲げることで底板２４に配置される構成となっている。また、緩衝シート１８は、折り曲げて底板２４に配置されたとき、その折り曲げ片１８ａ（閉止部材）が、コンテナ本体１８における取っ手用開口２６をコンテナ本体１８内部から覆って閉止するようになっている。
【００５３】
なお、緩衝シート１８は、その折り曲げ部１８ｂとコンテナ本体１２の測板２０、２１とが多少の間隙を有するように折り曲げられていることがよい。この構成により、折り曲げ片１８ａのコンテナ本体１２のおける測板２０、２１への押圧力が、より確実に取っ手用開口１６を覆って閉止させることが可能となる。このような構成にすることで、折り曲げ片１８ａとコンテナ本体１２のおける測板２０、２１とは、折り曲げ部１８ｂ周辺で多少の間隙を有することになるが、取っ手用開口２６は折り曲げ片１８ａにより完全に覆われてコンテナ本体１２内部にゴミや塵が入り込まないので、実質的に取っ手用開口２６は折り曲げ片１８ａされることとなる。
【００５４】
これら以外の構成は、上記第１の実施の形態と同様であるので、説明を省略する。
【００５５】
本実施の形態では、蓋部材１６により、コンテナ本体１２における上面の開口を覆うとともに、緩衝シート１８の折り曲げ片１８ａによりコンテナ本体１２の取っ手用開口２６をコンテナ本体１２内部から覆って閉止してて、ほぼ密閉状態に保ちつつ。そして、持ち運びの際には、図１３に示すように、コンテナ本体１２の取っ手用開口２６から、例えば指などにより折り曲げ片１８ａを押圧することで、緩衝シート１８の折り曲げ部の弾性変形（或いは、折り曲げ片１８ａ自体の弾性変形）により折り曲げ片１８ａが蓋部材１６内側に入り込み、取っ手用開口２６周縁部に例えば指などが引っ掛けられるようになる。再び、折り曲げ片１８ａに対して押圧力を解除すると緩衝シート１８の折り曲げ部の弾性力（或いは、折り曲げ片１８ａ自体の弾性力）によりコンテナ本体１８における取っ手用開口２６を覆って閉止する。このため、コンテナ輸送時にゴミや塵などが混入し難く、ロール感光材料の汚染を極力抑えつつ、１本単位で輸送可能となる。
【００５６】
なお、本実施形態では、緩衝シート１８と一体形成された折り曲げ片１８ａを、取っ手用開口２６を閉止するための閉止部材とした構成を示したが、取っ手用開口２６を閉止すると共に外部から押圧力を付与されることによりコンテナ本体１８内に入り込む構成であれば、これに限られず、例えば、板状の閉止部材を取っ手用開口２６を閉止するように、板状の閉止部材の一端をコンテナ本体１８の底板２４に支持固定し、その弾性変形によりコンテナ本体１８内に入り込む構成としてもよい。
【００５７】
上記第１〜第２の実施の形態に示す包装用コンテナにおいては、図１４に示すように、蓋部材１６における側壁３２、３３、３４、３５下縁部に、テープやなどの補強部材１６ａで覆われていることがよい。通常、蓋部材１６は、シートを打ち抜き加工して、組み立て固定して作製され、その打ち抜き断面は鋭利になっている場合が多い。このため、蓋部材１６を取り扱う時に手を損傷することが考えられ、これを防ぐために、上記構成とすることがよい。また別の目的で、打ち抜き組み立て固定した蓋部材１６はその開口側にソリが生じ易い欠点も有しており、コンテナー本体１２に容易にきちっと蓋を閉めることが困難な場合があるため、これを防止するためにも上記構成とすることがよい。
【００５８】
上記第１〜第２の実施の形態に示す包装用コンテナは、１回使用型のコンテナでもよいし、リサイクルして繰り返し使用することもできる。
【００５９】
なお、上記実施の形態に係る本発明のロール状感光材料の包装用コンテナは、限定的に解釈されるものではなく、本発明の要件を満足する範囲内で実現可能であることは、言うまでもない。
【００６０】
【発明の効果】
以上、本発明によれば、ゴミや塵などの混入が防止され、ロール状感光材料を汚染することなく、１本単位で輸送可能なロール状感光材料の包装用コンテナを提供することができる。
【図面の簡単な説明】
【図１】本発明の第１の実施の形態に係るロール状感光材料の包装用コンテナの分解斜視図である。
【図２】本発明の第１の実施の形態に係るロール状感光材料の包装用コンテナにおける蓋部材の部分斜視図である。
【図３】本発明の第１の実施の形態に係るロール状感光材料の包装用コンテナの長手方向に沿った部分断面図である。
【図４】本発明の第１の実施の形態に係るロール状感光材料の包装用コンテナの幅方向に沿った部分断面図である。
【図５】本発明の第１の実施の形態に係るロール状感光材料の包装用コンテナにおけるコンテナ本体の上面図である。
【図６】本発明の第１の実施の形態に係る他のロール状感光材料の包装用コンテナの長手方向に沿った部分断面図である。
【図７】本発明の第１の実施の形態に係る他のロール状感光材料の包装用コンテナの長手方向に沿った部分断面図である。
【図８】本発明の第１の実施の形態に係る他のロール状感光材料の包装用コンテナの幅方向に沿った部分断面図である。
【図９】本発明の第１の実施の形態に係る他のロール状感光材料の包装用コンテナの幅方向に沿った部分断面図である。
【図１０】本発明の第１の実施の形態に係る他のロール状感光材料の包装用コンテナの分解斜視図である。
【図１１】本発明の第２の実施の形態に係るロール状感光材料の包装用コンテナの分解斜視図である。
【図１２】本発明の第２の実施の形態に係るロール状感光材料の包装用コンテナの長手方向に沿った部分断面図である。
【図１３】本発明の第２の実施の形態に係るロール状感光材料の包装用コンテナの作用を説明するための部分断面図である。
【図１４】本発明の第１〜第２の実施の形態に係るロール状感光材料の他の蓋部材の形態を示す断面図である。
【符号の説明】
１０　包装用コンテナ
１２　コンテナ本体
１４　仕切板
１６　蓋部材
１８　緩衝シート
２０〜２３　側板
２４　底板
２６　取っ手用開口
２８　スリット
３０　ガイド板
３１　上壁
３２〜３５　側壁
３６　開口部
３８　閉止片
４０　ハーフカット
【図１】
2004102221.tif 000003
【図２】
2004102221.tif 000004
【図３】
2004102221.tif 000005
【図４】
2004102221.tif 000006
【図５】
2004102221.tif 000007
【図６】
2004102221.tif 000008
【図７】
2004102221.tif 000009
【図８】
2004102221.tif 000010
【図９】
2004102221.tif 000011
【図１０】
2004102221.tif 000012
【図１１】
2004102221.tif 000013
【図１２】
2004102221.tif 000014
【図１３】
2004102221.tif 000015
【図１４】
2004102221.tif 000016